(57)【要約】【課題】リール部材内へのワイヤロープの巻き取り動作中において、当該ワイヤロープの乱巻き状態の発生と、座屈の発生を確実に防止すると共に、小型・軽量で、安価に製作することが可能なワイヤロープの自転式巻き取り装置を提供する。【解決手段】本発明は、ロープ牽引手段から吐き出されたワイヤロープの反発力を利用してリール部材を回転させ、当該ワイヤロープを巻き取って収容可能としたワイヤロープの自転式巻き取り装置であって、ワイヤロープをリール部材内に導入可能とし、ワイヤロープの撚り方向に対応する一方向に回転を規制するための回転規制手段を備えた中空回転軸を有し、前記リール部材は中空回転軸に対して正逆双方向にフリー回転自在に支持されている。【選択図】図８
2010126347.tif 000002
【特許請求の範囲】
【請求項１】
ロープ牽引手段から吐き出されたワイヤロープの反発力を利用してリール部材を回転させ、当該ワイヤロープを巻き取って収容可能としたワイヤロープの自転式巻き取り装置であって、ワイヤロープをリール部材内に導入可能とし、ワイヤロープの撚り方向に対応する一方向に回転を規制するための回転規制手段を備えた中空回転軸を有し、前記リール部材は中空回転軸に対して正逆双方向にフリー回転自在に支持されていることを特徴とするワイヤロープの自転式巻き取り装置。
【請求項２】
中空回転軸は、側方に向けて導入管を備え、中空回転軸の中心から導入管の先端開口部までの距離間隔と、中空回転軸の中心からリール部材の内壁までの距離間隔との割合は、略１：２．５である請求項１に記載のワイヤロープの自転式巻き取り装置。
【請求項３】
左撚り方向のワイヤロープに対応して、リール部材を左回転させながら当該ワイヤロープを巻き取って収容するのに伴い、前記回転規制手段は、中空回転軸の右方向への回転を規制し、左方向への回転を許容している請求項１または２に記載のワイヤロープの自転式巻き取り装置。
【請求項４】
右撚り方向のワイヤロープに対応して、リール部材を右回転させながら当該ワイヤロープを巻き取って収容するのに伴い、前記回転規制手段は、中空回転軸の左方向への回転を規制し、右方向への回転を許容している請求項１乃至３のいずれかに記載のワイヤロープの自転式巻き取り装置。
【請求項５】
回転規制手段として、ワンウエイクラッチを使用している請求項１乃至４のいずれかに記載のワイヤロープの自転式巻き取り装置。
【請求項６】
回転規制手段は、中空回転軸が回転反力の支点となるように構成されている請求項１乃至５のいずれかに記載のワイヤロープの自転式巻き取り装置。
【請求項７】
回転規制手段は、ワイヤロープがリール部材内の外周方向に押し付けられるブレーキ作用を生起させるように構成されている請求項１乃至６のいずれかに記載のワイヤロープの自転式巻き取り装置。
【請求項８】
ロープ牽引手段およびリール部材は、建築構造物の外壁面の施工・補修作業を行うための仮設ゴンドラや本設ゴンドラ等に設置されている請求項１乃至７のいずれかに記載のワイヤロープの自転式巻き取り装置。
【発明の詳細な説明】
【技術分野】
【０００１】
本発明は、例えば、建築構造物の外壁面の施工や補修等の作業を行うための仮設ゴンドラ等を吊り下げるワイヤロープを、巻き取ったり、巻き戻したりすることなく、シーブに一回巻回したままワイヤロープに沿って昇降移動を行うようにしたロープ牽引手段において、ロープ牽引手段から下方に吐き出されたワイヤロープを、仮設ゴンドラの下面側で巻き取って収容するためのワイヤロープの自転式巻き取り装置に関するものである。
【背景技術】
【０００２】
従来においては、特許文献１に開示されているように、仮設ゴンドラ等を吊り下げるワイヤロープを巻き取ったり、巻き戻したりすることなく、シーブに一回巻回したままワイヤロープに沿って昇降移動を行うようにしたロープ牽引手段が存在する。
【０００３】
これは、シーブとワイヤロープとの摩擦力を利用することにより仮設ゴンドラの昇降動作が可能となっており、当該ロープ牽引手段から下方に吐き出された尻手側のワイヤロープは、仮設ゴンドラの床下から下方に垂れ下がった状態となる。
【０００４】
また、特許文献２に開示されているように、ロープ牽引手段を停止した際に、この停止動作に連動してリール部材の回転を、ソレノイドを使って停止させる自転式リール装置なる技術も提案されている。
【０００５】
この装置では、ロープ牽引手段であるエンドレスワインダーが駆動中においては、ソレノイドが駆動されてリール部材の固定を解除し、エンドレスワインダーが非駆動中においては、ソレノイドも非駆動状態となってリール部材を固定するように作用するストッパー機構を備えている。
【０００６】
つまり、ワイヤロープがリール部材に送り込まれる時や、リール部材から繰り出される時以外は、リール部材はストッパー機構によって回転不能になっている。これによって、特許文献２では、ロープ部材の移動駆動が停止された後の慣性によるリール部材の回転を防いで、リール部材内においてロープ部材が座屈してしまう事態の発生と、ロープ部材にキンクが生じてしまう事態の発生を防止している。
【特許文献１】特開平７−３３３９１号公報
【特許文献２】特開平９−８６８８３号公報
【発明の開示】
【発明が解決しようとする課題】
【０００７】
しかしながら、上記した特許文献１の技術においては、ロープ牽引手段から下方に吐き出された尻手側のワイヤロープは、仮設ゴンドラの床下から下方に垂れ下がった状態となっていることから、風圧または仮設ゴンドラ自体の揺れ等により、ワイヤロープが建築構造物の外壁面に接触して、建築構造物の外壁面を汚したり破損する等のトラブルが生じていた。
【０００８】
そして、ワイヤロープは常にその全長で使用されるものではないため、不要の部位はコンパクトで、しかも、必要な時には引き出し可能となるよう、例えば、巻き取り可能な自転式のリール部材によって収容されることが望ましい。
【０００９】
ただ、このようなリール部材においては、上端を建築構造物に固定したワイヤロープ自体がロープ牽引手段のシーブに挟圧され、仮設ゴンドラの昇降中に当該ワイヤロープがその摩擦力で扱かれることから、微小の回転が発生する。
【００１０】
そして、仮設ゴンドラが建築構造物に上昇するに従って、ワイヤロープ自体に微小な回転が作用することで、当該ワイヤロープ（ワイヤロープ自体は右捻りまたは左捻りの撚り構造となっている）に撚りが蓄積されていく。
【００１１】
この撚りが蓄積された状態において、ロープ牽引手段を通過してリール部材内部にワイヤロープが吐き出され、リール部材内部にワイヤロープが収容されていくと、リール部材内部においてワイヤロープが反転する現象が生じて、ワイヤロープが乱巻き状態となったり、また、リール部材の中心軸にワイヤロープが巻き付いてしまう等のトラブルの原因となる。
【００１２】
例えば、左撚り方向のワイヤロープをリール部材内に巻き込む場合には、当該リール部材を左回転させながらワイヤロープを巻き込んでリール部材内に収容する。このとき、ワイヤロープの左撚りが強くなって、撚り戻しが右方向に作用し、ワイヤロープはリール部材内部で乱巻きになろうとする。
【００１３】
一方、右撚り方向のワイヤロープをリール部材内に巻き込む場合には、当該リール部材を右回転させながらワイヤロープを巻き込んでリール部材内に収容する。このとき、ワイヤロープの右撚りが強くなって、撚り戻しが左方向に作用し、ワイヤロープはリール部材内部で乱巻きになろうとする。
【００１４】
従って、リール部材側には、ワイヤロープの撚りを戻す機構を設ける必要があるが、ロープ牽引手段から吐き出されたワイヤロープの反発力を利用してリール部材を回転させる場合においては、仮設ゴンドラが上昇するに従ってワイヤロープがリール部材内に溜まり、当該ワイヤロープの自重によりリール部材の滑らかな回転が阻害され、リール部材が次第に回転し難くなることから、その回転の反力により中心軸側のワイヤロープに撚りが集中して乱巻き状態となり、ワイヤロープが中心軸に巻き付いてしまうというトラブルが発生する。
【００１５】
しかも、このようなリール部材内におけるワイヤロープの乱巻き状態の発生により、仮設ゴンドラが下降する際のリール部材内からのワイヤロープの引き出しが困難なものとなる。
【００１６】
この他、リール部材が回転自在構造である場合には、ロープ牽引手段を停止した場合であっても、ワイヤロープを収容しているリール部材の慣性により、リール部材の回転が急に停止することがなく、ワイヤロープが止まっていてもリール部材自体は回転し続けるため、リール部材内におけるワイヤロープの座屈の発生を防止できなかった。
【００１７】
このようなトラブルを未然に防ぐため、上記した特許文献２に開示されているように、ロープ牽引手段を停止した際に、この停止動作に連動してリール部材の回転を、ソレノイドを使って停止させる自転式リール装置なる技術が提案されている。
【００１８】
しかし、この特許文献２の場合では、ロープ牽引手段を停止した後のリール部材の惰性回転によるワイヤロープの座屈の発生を防止するものであって、撚りが蓄積された状態のワイヤロープをリール部材内に巻き取って収容している最中にに、ワイヤロープの撚りを戻す構造とはなっていない。
【００１９】
その為、例えば、左撚り方向のワイヤロープをリール部材内に巻き込む場合には、当該リール部材を左回転させながらワイヤロープを巻き込んでリール部材内に収容するが、このとき、ワイヤロープの左撚りが強くなって、撚り戻しが右方向に作用し、ワイヤロープをリール部材内に巻き込んでいる最中にワイヤロープが反転して、リール部材内部で乱巻きになってしまうのである。
【００２０】
また、特許文献２の場合、ロープ牽引手段を停止した際に、この停止動作に連動してリール部材の回転を停止させるものであるが、ソレノイドを使ってリール部材の回転を停止させることから、その構造が複雑で好ましくなく、製作の費用も高価になってしまう欠点を有している。
【００２１】
そこで、本発明は如上のような従来存した諸事情に鑑み創出されたもので、リール部材内へのワイヤロープの巻き取り動作中において、当該ワイヤロープの乱巻き状態の発生と、座屈の発生を確実に防止すると共に、小型・軽量で、安価に製作することが可能なワイヤロープの自転式巻き取り装置を提供することを目的とする。
【課題を解決するための手段】
【００２２】
本発明は、ロープ牽引手段から吐き出されたワイヤロープの反発力を利用してリール部材を回転させ、当該ワイヤロープを巻き取って収容可能としたワイヤロープの自転式巻き取り装置であって、ワイヤロープをリール部材内に導入可能とし、ワイヤロープの撚り方向に対応する一方向に回転を規制するための回転規制手段を備えた中空回転軸を有し、前記リール部材は中空回転軸に対して正逆双方向にフリー回転自在に支持されていることで、上述した課題を解決した。
【００２３】
また、中空回転軸は、側方に向けて導入管を備え、中空回転軸の中心から導入管の先端開口部までの距離間隔と、中空回転軸の中心からリール部材の内壁までの距離間隔との割合は、略１：２．５であることで、同じく上述した課題を解決した。
【００２４】
さらに、左撚り方向のワイヤロープに対応して、リール部材を左回転させながら当該ワイヤロープを巻き取って収容するのに伴い、前記回転規制手段は、中空回転軸の右方向への回転を規制し、左方向への回転を許容していることで、同じく上述した課題を解決した。
【００２５】
また、右撚り方向のワイヤロープに対応して、リール部材を右回転させながら当該ワイヤロープを巻き取って収容するのに伴い、前記回転規制手段は、中空回転軸の左方向への回転を規制し、右方向への回転を許容していることで、同じく上述した課題を解決した。
【００２６】
加えて、回転規制手段として、ワンウエイクラッチを使用していることで、同じく上述した課題を解決した。
【００２７】
また、回転規制手段は、中空回転軸が回転反力の支点となるように構成されていることで、同じく上述した課題を解決した。
【００２８】
この他、回転規制手段は、ワイヤロープがリール部材内の外周方向に押し付けられるブレーキ作用を生起させるように構成されていることで、同じく上述した課題を解決した。
【００２９】
また、ロープ牽引手段およびリール部材は、建築構造物の外壁面の施工・補修作業を行うための仮設ゴンドラや本設ゴンドラ等に設置されていることで、同じく上述した課題を解決した。
【発明の効果】
【００３０】
本発明は、ロープ牽引手段から吐き出されたワイヤロープの反発力を利用してリール部材を回転させ、当該ワイヤロープを巻き取って収容可能としたワイヤロープの自転式巻き取り装置であって、ワイヤロープをリール部材内に導入可能とし、ワイヤロープの撚り方向に対応する一方向に回転を規制するための回転規制手段を備えた中空回転軸を有し、前記リール部材は中空回転軸に対して正逆双方向にフリー回転自在に支持されていることから、リール部材内へのワイヤロープの巻き取り動作中において、当該ワイヤロープの乱巻き状態の発生と、座屈の発生を確実に防止すると共に、小型・軽量で、安価に製作することが可能なワイヤロープの自転式巻き取り装置を提供できる。
【００３１】
具体的には、ワイヤロープの撚り方向に対応する一方向に回転を規制し、特定方向にのみ回転を許容するための回転規制手段を備えた中空回転軸を有していることから、撚りが蓄積されているワイヤロープをリール部材内に巻き取って収容している最中に、中空回転軸が特定方向に回転して、ワイヤロープの撚りを戻すことができる。
【００３２】
その為、ワイヤロープに撚りが蓄積して、ワイヤロープが反転する事態の発生を防いで、ワイヤロープの乱巻き状態の発生を防止している。
【００３３】
また、仮設ゴンドラが上昇するに従ってワイヤロープがリール部材内に溜まり、当該ワイヤロープの自重によりリール部材の滑らかな回転が阻害され、リール部材が次第に回転し難くなっている状態においても、ワイヤロープの撚り方向に対応する一方向に回転を規制し、特定方向にのみ回転を許容するための回転規制手段を備えた中空回転軸を有していることから、中空回転軸が特定方向に回転して、ワイヤロープが反転する事態の発生を防ぎ、ワイヤロープの乱巻き状態の発生を防止している。
【００３４】
この他、ワイヤロープの撚りが蓄積されたまま、ワイヤロープがリール部材内に巻き取られると、リール部材内でワイヤロープが反転する現象が生じて輪になり、隣同士のワイヤロープが捩れて絡み合いってしまい、このままワイヤロープの巻き取りを継続すると、リール部材内において、さらに複雑なワイヤロープの乱巻き状態となる。
【００３５】
本発明に係るワイヤロープの自転式巻き取り装置は、ワイヤロープの撚り方向に対応する一方向に回転を規制し、特定方向にのみ回転を許容するための回転規制手段を備えた中空回転軸を有しており、中空回転軸が特定方向に回転することにより、ワイヤロープの撚りを戻すことができ、リール部材内における、さらに複雑なワイヤロープの乱巻き状態の発生を防止している。
【００３６】
加えて、リール部材内において、複雑なワイヤロープの乱巻き状態が発生している最中に、中空回転軸を介してワイヤロープをリール部材内に巻き取っていくと、リール部材内でワイヤロープが反転して生じた輪が次第に小さくなり、やがては略「く」の字状に曲がり癖が付いて元の直線状のワイヤロープに戻らなくなってしまう、キンクの現象が生じる。
【００３７】
本発明に係るワイヤロープの自転式巻き取り装置は、ワイヤロープの撚り方向に対応する一方向に回転を規制し、特定方向にのみ回転を許容するための回転規制手段を備えた中空回転軸を有しており、中空回転軸が特定方向に回転することにより、ワイヤロープの撚りを戻すことができ、リール部材内における、複雑なワイヤロープの乱巻き状態の発生と、キンクの現象が生じる事態の発生も防止している。
【００３８】
さらに、中空回転軸は、側方に向けて導入管を備え、中空回転軸の中心から導入管の先端開口部までの距離間隔と、中空回転軸の中心からリール部材の内壁までの距離間隔との割合は、略１：２．５であることから、リール部材と、中空回転軸における導入管のサイズにおいて、リール部材内へのワイヤロープの巻き取り動作中において、当該ワイヤロープの座屈の発生を防止している。
【００３９】
リール部材の回転力は、ワイヤロープの反発する弾性を利用してワイヤロープを押して接線力に置き換えているので、リール部材がワイヤロープの重量等により次第に回転し難くなると、ワイヤロープを押した場合であっても、ある限界において、ワイヤロープの腰が折れて横方向に変形してしまう。すると、接線力が得られず、リール部材が回転せずに、ワイヤロープだけがリール部材内において反対方向に吐き出されていく。
【００４０】
このようなワイヤロープの座屈の発生を防止するために、本発明においては、リール部材の回転力を考慮して、中空回転軸の中心から導入管の先端開口部までの距離間隔と、中空回転軸の中心からリール部材の内壁までの距離間隔との寸法の割合を、略１：２．５としている。
【００４１】
例えば、径が８ｍｍのワイヤロープを使用し、リール部材の径が５００ｍｍの場合において、中空回転軸の中心から導入管の先端開口部までの距離間隔が１００ｍｍ、中空回転軸の中心からリール部材の内壁までの距離間隔が２５０ｍｍとすると、リール部材の内壁にかかる力が１ｋｇのとき、回転力（力のモーメント）が２５０ｋｇ・ｍｍとなる。
【００４２】
また、径が８ｍｍのワイヤロープを使用し、リール部材の径が８００ｍｍの場合において、中空回転軸の中心から導入管の先端開口部までの距離間隔が１６０ｍｍ、中空回転軸の中心からリール部材の内壁までの距離間隔が４００ｍｍとすると、リール部材の内壁にかかる力は１５０／２４０＝０．６２５ｋｇとなり、回転力（力のモーメント）が同じく２５０ｋｇ・ｍｍとなる。
【００４３】
こうして、径が８ｍｍのワイヤロープを使用し、リール部材の径が、５００ｍｍ・８００ｍｍのいずれの場合においても、回転力（力のモーメント）が同じ２５０ｋｇ・ｍｍに設定できるので、リール部材におけるワイヤロープの座屈の発生を未然に防止できるのである。
【００４４】
その為、従来においては、曲げに対する剛性の大きい、径が約１０ｍｍ程度のワイヤロープが限定的に使用されていたのであるが、本発明に係るワイヤロープの自転式巻き取り装置により、径が８ｍｍのワイヤロープも使用できることとなった。
【００４５】
また、左撚り方向のワイヤロープに対応して、リール部材を左回転させながら当該ワイヤロープを巻き取って収容するのに伴い、前記回転規制手段は、中空回転軸の右方向への回転を規制し、左方向への回転を許容していることから、リール部材内へのワイヤロープの巻き取り動作中において、当該ワイヤロープの乱巻き状態の発生を防止できる。
【００４６】
具体的には、例えば、左撚り方向のワイヤロープをリール部材内に巻き込む場合には、当該リール部材を左回転させながらワイヤロープを巻き込んでリール部材内に収容するものであるが、このとき、ワイヤロープの左撚りが強くなって、撚り戻しが右方向に作用して、ワイヤロープはリール部材内部で反転して乱巻きになろうとする。
【００４７】
さらに、当該ワイヤロープの自重によりリール部材の滑らかな回転が阻害され、リール部材が次第に回転し難くなる点においても、その回転の反力により中心軸側のワイヤロープに撚りが集中して、ワイヤロープはリール部材内部で反転して乱巻きになろうとする。
【００４８】
このとき、中空回転軸が、左方向へ回転することにより、ワイヤロープの撚りを戻して当該ワイヤロープの乱巻き状態の発生を防止しているのである。
【００４９】
一方、右撚り方向のワイヤロープに対応して、リール部材を右回転させながら当該ワイヤロープを巻き取って収容するのに伴い、前記回転規制手段は、中空回転軸の左方向への回転を規制し、右方向への回転を許容していることから、リール部材内へのワイヤロープの巻き取り動作中において、当該ワイヤロープの乱巻き状態の発生を防止できる。
【００５０】
具体的には、例えば、右撚り方向のワイヤロープをリール部材内に巻き込む場合には、当該リール部材を右回転させながらワイヤロープを巻き込んでリール部材内に収容するものであるが、このとき、ワイヤロープの右撚りが強くなって、撚り戻しが左方向に作用して、ワイヤロープはリール部材内部で反転して乱巻きになろうとする。
【００５１】
このとき、中空回転軸が、右方向へ回転することにより、ワイヤロープの撚りを戻して当該ワイヤロープの乱巻き状態の発生を防止しているのである。
【００５２】
この他、回転規制手段として、ワンウエイクラッチを使用していることから、ワイヤロープの撚り方向に対応する一方向に回転を容易に規制でき、小型・軽量で、安価に製作することが可能なワイヤロープの自転式巻き取り装置を提供できる。
【００５３】
また、回転規制手段は、中空回転軸が回転反力の支点となるように構成されていることから、ワイヤロープの吐出力の反力がワイヤロープの撚り全体に生じないこととなり、ワイヤロープ自体が過度に捩られてしまう事態の発生を防止できる。
【００５４】
すなわち、ワイヤロープの重量等によりリール部材が回転し難くなった場合において、回転規制手段が存在しないと、ワイヤロープの吐出力の反力がワイヤロープの撚り全体に生じてしまい、ワイヤロープ自体が過度に捩られてしまう。
【００５５】
このような問題を解消するために、回転反力の支点を回転規制手段を有する中空回転軸側に位置付けすることで、ワイヤロープの吐出力の反力がワイヤロープの撚り全体に生じないこととなり、ワイヤロープ自体が過度に捩られてしまう事態の発生を防止しているのである。その結果、ワイヤロープ自体が過度に捩られてキンクが発生することがなく、ワイヤロープの乱巻き状態の発生も防止できるのである。
【００５６】
さらに、回転規制手段は、ワイヤロープがリール部材内の外周方向に押し付けられるブレーキ作用を生起させるように構成されていることから、ワイヤロープを巻き取っているリール部材の回転慣性力を軽減させることができる。
【００５７】
また、ロープ牽引手段およびリール部材は、建築構造物の外壁面の施工・補修作業を行うための仮設ゴンドラや本設ゴンドラ等に設置されていることから、尻手側のワイヤロープを、仮設ゴンドラや本設ゴンドラ等の床下のリール部材に巻き取って収容できる。
【００５８】
その為、風圧や、仮設ゴンドラや本設ゴンドラの揺れ等の影響を受けて、ワイヤロープが建築構造物の外壁面に接触し、建築構造物の外壁面を汚したり、破損してしまう等のトラブルを未然に防止することができる。
【発明を実施するための最良の形態】
【００５９】
以下に、本発明を実施するための最良の形態を、図面を参照して詳細に説明する。
【００６０】
本発明に係るワイヤロープＷの自転式巻き取り装置は、ロープ牽引手段Ｑから吐き出されたワイヤロープＷの反発力を利用してリール部材２を回転させ、当該ワイヤロープＷを巻き取って収容可能としている。
【００６１】
具体的には、回転自在に支持されているリール部材２が、ロープ牽引手段Ｑから供給されるワイヤロープＷを巻き取るものであるが、当該ワイヤロープＷの送り込み力に伴って発生する、ワイヤロープＷの押出力により、リール部材２内壁に回転力が発生してリール部材２が回転し、ワイヤロープＷを巻き取っている。
【００６２】
同様に、リール部材２に巻き取っているワイヤロープＷをリール部材２から引き出すときも、ワイヤロープＷとリール部材２内壁との回転力により、リール部材２が回転するものである。
【００６３】
このワイヤロープＷの自転式巻き取り装置は、図１・図３に示すように、建築構造物の屋上に配設した左右一対の支持アームＬを介して、各端部が固定された二本のワイヤロープＷによって吊り下げて支持されている仮設ゴンドラＰの床面下側に設けられている。
【００６４】
尚、仮設ゴンドラＰの底部下面の四隅には、当該仮設ゴンドラＰが接地した状態で移動できるようにキャスタＫを設けている。また、ワイヤロープＷの自転式巻き取り装置は、仮設ゴンドラＰの他に、本設ゴンドラ等の床面下側に設けられるものであり、種々のゴンドラに利用されるものである。
【００６５】
そして、ワイヤロープＷの自転式巻き取り装置は、図４に示すように、ワイヤロープＷの撚り方向に対応する一方向に回転を規制するための回転規制手段（３）を備えた中空回転軸１を有し、前記リール部材２は中空回転軸１に対して正逆双方向にフリー回転自在に支持されている。
【００６６】
具体的には、図１に示すように、仮設ゴンドラＰを吊り下げて支持するワイヤロープＷは、支持アームＬの先端に設けられた半円形金具Ｌ１と、支持アームＬ上面に突設した略コ字状の締結保持部Ｌ２先端の半円形金具Ｌ３とを介して配索されて、仮設ゴンドラＰに固定されたロープ牽引手段Ｑとしてのエンドレスワインダーに上側から下側に挿通されている。
【００６７】
このエンドレスワインダーは、不図示の駆動機構によって回転駆動されるシーブにワイヤロープＷが略１回転だけ巻回するように装着され、シーブの回転によってその巻回部がワイヤロープＷに沿って相対的に移動するように構成されている。
【００６８】
例えば、シーブが駆動機構により回転駆動されると、略１回巻かれたワイヤロープＷは、ロープ挿入溝を形成するシーブの両側壁部によって挟圧されて駆動力が伝達される。また、ワイヤロープＷに仮設ゴンドラＰによる荷重が掛り始めると、この荷重による引張力でワイヤロープＷは自然にシーブ内に喰い込まれ駆動力が伝達される（図４参照）。
【００６９】
そして、仮設ゴンドラＰに搭載されたロープ牽引手段ＱでワイヤロープＷを移動駆動することで当該仮設ゴンドラＰを上昇移動させるに際し、ロープ牽引手段Ｑの下側から吐き出されたワイヤロープＷは、前記中空回転軸１内を通してリール部材２内に導入され、この吐き出されたワイヤロープＷの反発力を利用してリール部材２を回転させながら当該ワイヤロープＷ自体をリール部材２内部に巻き取って収容するように構成されている。
【００７０】
また、図４・図６に示すように、中空回転軸１は、左右一対のロープ牽引手段Ｑであるエンドレスワインダーからガイドパイプ４を介して吐き出された各ワイヤロープＷを、仮設ゴンドラＰの床面の左右対称位置に形成したガイド孔５を介して各リール部材２内に送り込むものである。
【００７１】
すなわち、図４に示すように、仮設ゴンドラＰの下面には、その長手方向に沿って支持板６が配され、前記仮設ゴンドラＰの構成部材である床面の各ガイド孔５，５に対応して支持板６の左右対称位置に形成された開口部内周縁に、上側軸受外筒７の一端外周に形成されたフランジ部７ａがボルト７ｂで固定されている。
【００７２】
そして、上側軸受外筒７の内側には上下一対のボールベアリング軸受８，８と、両ボールベアリング軸受８，８相互間に配された回転規制手段（３）である、例えば、クラッチ歯車とクラッチ爪から成るワンウエイクラッチ３とを介して、一方向のみに回転が規制された状態となるよう中空回転軸１の一端側が支持されている。
【００７３】
また、中空回転軸１の長手方向に沿った中間位置よりも若干上側寄りの側面には、ワイヤロープＷをリール部材２内に送り出すための水平円筒状の導入管９を備えている。導入管９の先端ロープ出口の形状は、ワイヤロープＷを上下にガイドする為に、縦長の楕円形状に形成されている。
【００７４】
尚、この回転規制手段（３）は、ワンウエイクラッチ３に限らず、一方向の回転を許容するための他の構成によるストッパー機構等を採用しても良い。
【００７５】
この中空回転軸１を支持するワンウエイクラッチ３の上側軸受外筒７内への組み付けに際しては、ワイヤロープＷの撚り方向が右方向であるか、或いは、左方向であるかに対応して、その反転組み換えが行われる。
【００７６】
例えば、図２に示すように、左撚り方向のワイヤロープＷをリール部材２内に巻き込む場合には、図５に示すように、導入管９からワイヤロープＷを送り出し、リール部材２を左回転させて、リール部材２内にワイヤロープＷを巻き込んで収容させる。
【００７７】
このとき、ワイヤロープＷの左撚りが強くなって、撚り戻しが右方向に作用して、ワイヤロープはリール部材内部で乱巻きになろうとする。さらに、当該ワイヤロープＷの自重によりリール部材２の滑らかな回転が阻害され、リール部材２が次第に回転し難くなる点においても、その回転の反力により中心軸側のワイヤロープＷに撚りが集中して、ワイヤロープＷはリール部材２内部で乱巻きになろうとする。
【００７８】
そのため、図５・図６・図８に示すように、ワンウエイクラッチ３によって中空回転軸１の右回転を規制し、中空回転軸１を左回転させることにより、ワイヤロープＷの右方向への撚り戻しを実現させている。
【００７９】
一方、図９に示すように、左撚り方向のワイヤロープＷをリール部材２内に巻き込む場合には、図１０・図１１に示すように、導入管９からワイヤロープＷを送り出し、リール部材２を右回転させて、リール部材２内にワイヤロープＷを巻き込んで収容させる。
【００８０】
このとき、ワイヤロープＷの右撚りが強くなって、撚り戻しが左方向に作用して、ワイヤロープはリール部材内部で乱巻きになろうとする。さらに、当該ワイヤロープＷの自重によりリール部材２の滑らかな回転が阻害され、リール部材２が次第に回転し難くなる点においても、その回転の反力により中心軸側のワイヤロープＷに撚りが集中して、ワイヤロープＷはリール部材２内部で乱巻きになろうとする。
【００８１】
そのため、図１０・図１１に示すように、ワンウエイクラッチ３によって中空回転軸１の左回転を規制し、中空回転軸１を右回転させることにより、ワイヤロープＷ  の左方向への撚り戻しを実現させている。
【００８２】
さらに、リール部材２は、図７・図８に示すように、天板２ａおよび底板２ｂによる上下二枚の所定直径の円板が、その周縁部でカラー２ｃに挿通された複数のボルトによって結合され、全体が略円形ドラム状となって形成されている。
【００８３】
そして、天板２ａの中央には、中空回転軸１が非接触状態となってリール部材２内に挿入されて前記導入管９が外方に向けて配置されるようにガイド用開口部１０が形成されている。
【００８４】
一方、底板２ｂの中央は開口部が形成され、この開口部内周縁に、下側軸受外筒１０の一端外周に形成されたフランジ部１０ａがボルト１０ｂで固定されている。
【００８５】
そして、下側軸受外筒１０の内側には、上下一対のボールベアリング軸受１１，１１を介して中空回転軸１の他端側が支持され、リール部材２全体が中空回転軸１に対して正逆双方向に回転自在となるように構成されている。
【００８６】
また、導入管９から吐き出されたワイヤロープＷの反発力を利用してリール部材２が回転し、ワイヤロープＷ自体は、リール部材２内部における外周位置から中央の中空回転軸１位置に向けて順次渦巻き状となって収容される。
【００８７】
さらに、図４に示すように、底板２ｂから導入管９までの高さと、底板２ｂから天板２ａまでの高さとの割合は、略１：１．５（例えば、底板２ｂから導入管９までの高さが９３ｃｍに対して、底板２ｂから天板２ａまでの高さは１５０ｃｍ）となるように構成されている。
【００８８】
加えて、図５に示すように、中空回転軸１の中心から導入管９の先端開口部までの距離間隔と、中空回転軸１の中心からリール部材２の内壁までの距離間隔との割合は、略１：２．５（例えば、中空回転軸１の中心から導入管９の先端開口部までの距離間隔が９７．７２ｃｍに対して、中空回転軸１の中心からリール部材２の内壁までの距離間隔は２４１．２７であって、導入管９の先端開口部からリール部材２の内壁までの距離間隔は１４３．５５ｃｍ）となるように構成されている。
【００８９】
このように、リール部材２と中空回転軸１の導入管９との外径割合を規制することで、例えば、８ｍｍ程度の外径を有するワイヤロープＷについて、座屈の生じない巻き取りが可能となる。
【００９０】
この他、図７・図８に示すように、中空回転軸１には、そこから放射方向に向けて、例えば、６枚等の複数の羽根１２が突設されており、回転反力による中空回転軸１側へのワイヤロープＷの撚りの集中を未然に防止している。
【００９１】
尚、上記した実施の形態においては、建築物の屋上に端部が固定されたワイヤロープＷを、仮設ゴンドラＰに設けられたロープ牽引手段Ｑで巻き上げる構成のもので、自転式巻き取り装置が仮設ゴンドラＰに設けられている例について説明したが、これに限定されることはない。
【００９２】
例えば、端部に仮設ゴンドラＰが固定されたワイヤロープＷを、建築物の屋上に設置された台車に設けられているロープ牽引手段Ｑによって巻き上げる構成のものに対して、本発明の自転式巻き取り装置を適用しても良いことは言うまでもない。
【産業上の利用可能性】
【００９３】
本発明に係るワイヤロープの自転式巻き取り装置は、建築構造物の外壁面の施工や補修等の作業を行うための仮設ゴンドラ等を吊り下げるワイヤロープを巻き取って収容するために使用する他に、エレベータやクレーン等の建設荷役運搬用の巻上機等におけるワイヤロープの巻き取り収容のために使用する等の様々な機器装置に対して幅広く応用することができる。
【図面の簡単な説明】
【００９４】
【図１】仮設ゴンドラの設置状態を示す側面図である。
【図２】左撚り方向のワイヤロープの構成を示す側面図である。
【図３】ワイヤロープの自転式巻き取り装置を備えている仮設ゴンドラの構成を示す斜視図である。
【図４】仮設ゴンドラの底部下面に、ワイヤロープの自転式巻き取り装置を取り付けた状態を側面から見た断面図である。
【図５】仮設ゴンドラの底部下面に、自転式巻き取り装置を取り付けた状態を上方から見た平面図である。
【図６】仮設ゴンドラの底部下面に、ワイヤロープの自転式巻き取り装置を取り付けた状態の概略を示すもので、左撚り方向のワイヤロープを巻き取っている状態を示す斜視図である。
【図７】ワイヤロープの自転式巻き取り装置を示す斜視図である。
【図８】ワイヤロープの自転式巻き取り装置において、左撚り方向のワイヤロープを巻き取っている状態を示す斜視図である。
【図９】右撚り方向のワイヤロープの構成を示す側面図である。
【図１０】仮設ゴンドラの底部下面に、ワイヤロープの自転式巻き取り装置を取り付けた状態の概略を示すもので、右撚り方向のワイヤロープを巻き取っている状態を示す斜視図である。
【図１１】ワイヤロープの自転式巻き取り装置において、右撚り方向のワイヤロープを巻き取っている状態を示す斜視図である。
【符号の説明】
【００９５】
Ｗ…ワイヤロープ
Ｐ…仮設ゴンドラ
Ｑ…ロープ牽引手段
１…中空回転軸
２…リール部材
３…ワンウエイクラッチ（回転規制手段）
４…ガイドパイプ
５…ガイド孔
６…支持板
７…上側軸受外筒
８，１１…ボールベアリング軸受
９…導入管
１０…下側軸受外筒
１２…羽根
【図１】
2010126347.tif 000003
【図２】
2010126347.tif 000004
【図３】
2010126347.tif 000005
【図４】
2010126347.tif 000006
【図５】
2010126347.tif 000007
【図６】
2010126347.tif 000008
【図７】
2010126347.tif 000009
【図８】
2010126347.tif 000010
【図９】
2010126347.tif 000011
【図１０】
2010126347.tif 000012
【図１１】
2010126347.tif 000013